(57)【要約】【課題】映像の違いが最大である時間点をスピーディに探し出す監視システムの画面検索方法を提供する。【解決手段】先ず、スクリーン上で複数個の第１の分割画面を同時に再生し、それぞれの第１の分割画面はビデオデータ中の同じ場景で異なる時間帯の監視画面を表示する。そして、隣接する分割画面の映像差異が最大である第１の分割画面を選択する。続いて、第１の分割画面のビデオデータを複数の時間帯に分割する。そして、スクリーン上で複数個の第２の分割画面を同時に再生し、それぞれの第２の分割画面はこの第１の分割画面中の異なる時間帯の監視画面を表示する。そして、映像差異が最大である時間点が見つかるまで、次の分割画面を繰り返して利用する。【選択図】        図５
2006033831.tif 000002
【特許請求の範囲】
【請求項１】
監視システムのビデオデータを複数の時間帯に分割するステップと、
スクリーン上で複数個の第１の分割画面を同時に再生し、それぞれの前記第１の分割画面は前記ビデオデータ中の同じ場景で異なる時間帯の監視画面を表示するステップと、
隣接する分割画面の映像差異が最大である前記第１の分割画面を選択するステップと、
前記第１の分割画面の前記ビデオデータを複数の時間帯に分割するステップと、
前記スクリーン上で複数個の第２の分割画面を同時に再生し、それぞれの前記第２の分割画面は前記第１の分割画面中の異なる時間帯の監視画面を表示するステップと、
隣接する分割画面の映像差異が最大である第２の分割画面を選択するステップと、
前記第２の分割画面の時間帯が所定時間よりも短いときに、前記第２の分割画面を再生して映像差異が最大である時間点を探し出すステップと、
前記第２の分割画面の時間帯が所定時間よりも長いときに、前記第２の分割画面の前記ビデオデータを複数の時間帯に分割し、次の分割画面を利用することにより映像差異が最大である時間点を探し出すステップと、を少なくとも含むことを特徴とする監視システムの画面検索方法。
【請求項２】
前記スクリーン上で複数個の第３の分割画面を再生し、それぞれの前記第３の分割画面は前記第２の分割画面中の異なる時間帯の監視画面を表示するステップと、
隣接する分割画面の映像差異が最大である前記第３の分割画面を選択するステップと、
をさらに含むことを特徴とする請求項１記載の監視システムの画面検索方法。
【請求項３】
画面を分割するとき、前記スクリーン上にはＮ×Ｎ個の分割画面が表示され、前記Ｎは正整数であることを特徴とする請求項１記載の監視システムの画面検索方法。
【請求項４】
映像差異が最大である時間点を探し出すために、時間帯の分割、分割画面の表示および差異が最大である分割画面の選択を繰り返すステップをさらに含むことを特徴とする請求項１記載の監視システムの画面検索方法。
【請求項５】
それぞれの前記分割画面には時間情報が表示されることを特徴とする請求項１記載の監視システムの画面検索方法。
【請求項６】
監視システムのビデオデータを複数の時間帯に分割するステップと、
スクリーン上で複数個の第１の分割画面を同時に再生し、それぞれの前記第１の分割画面は前記ビデオデータ中の同じ場景で異なる時間帯の監視画面を表示するステップと、
後の時間帯との映像差異が最大である前記第１の分割画面を選択するステップと、
前記第１の分割画面の前記ビデオデータを複数の時間帯に分割するステップと、
前記スクリーン上で複数個の第２の分割画面を同時に再生し、それぞれの前記第２の分割画面は前記第１の分割画面中の異なる時間帯の監視画面を表示するステップと、
後の時間帯との映像差異が最大である前記第２の分割画面を選択するステップと、
前記第２の分割画面の時間帯が所定時間よりも短いときに、前記第２の分割画面を再生して映像差異が最大である時間点を探し出すステップと、
前記第２の分割画面の時間帯が所定時間よりも長いときに、前記第２の分割画面の前記ビデオデータを複数の時間帯に分割し、次の分割画面を繰り返して利用することにより映像差異が最大である時間点を探し出すステップと、
映像差異が最大である時間点が見つかるまで、時間帯の分割、分割画面の表示および差異が最大である分割画面の選択を繰り返すステップと、を少なくとも含むことを特徴とする監視システムの画面検索方法。
【請求項７】
前記スクリーン上で複数個の第３の分割画面を同時に再生し、それぞれの前記第３の分割画面は前記第２の分割画面中の異なる時間帯の監視画面を表示するステップと、
後の時間帯との映像差異が最大である前記第３の分割画面を選択するステップと、
をさらに含むことを特徴とする請求項６記載の監視システムの画面検索方法。
【請求項８】
画面を分割するとき、前記スクリーン上にはＮ×Ｎ個の分割画面が表示され、前記Ｎは正整数であることを特徴とする請求項６記載の監視システムの画面検索方法。
【請求項９】
それぞれの前記分割画面には時間情報が表示されることを特徴とする請求項６記載の監視システムの画面検索方法。
【請求項１０】
監視システムのビデオデータを複数の時間帯に分割するステップと、
スクリーン上で複数個の第１の分割画面を同時に再生し、それぞれの前記第１の分割画面は前記ビデオデータ中の同じ場景で異なる時間帯の監視画面を表示するステップと、
前記第１の分割画面中の少なくとも二つの画面間に実質上映像差異があるとき、後の時間帯との映像差異が最大である前記第１の分割画面を選択するステップと、
前記第１の分割画面間に実質上映像差異がないとき、一番後の前記第１の分割画面を選択するステップと、
前記第１の分割画面のビデオデータを複数の時間帯に分割するステップと、
前記スクリーン上で複数個の第２の分割画面を同時に再生し、それぞれの前記第２の分割画面は前記第１の分割画面中の異なる時間帯の監視画面を表示するステップと、
前記第２の分割画面中の少なくとも二つの画面間に実質上映像差異があるとき、後の時間帯との映像差異が最大である前記第２の分割画面を選択するステップと、
前記第２の分割画面間に実質上映像差異がないとき、一番後の前記第２の分割画面を選択するステップと、
前記第２の分割画面の時間帯が所定時間よりも短いときに、前記第２の分割画面を再生して映像差異が最大である時間点を探し出すステップと、
前記第２の分割画面の時間帯が所定時間よりも長いときに、前記第２の分割画面のビデオデータを複数の時間帯に分割し、次の分割画面を繰り返して利用することにより映像差異が最大である時間点を探し出すステップと、
映像差異が最大である時間点が見つかるまで、時間帯の分割、分割画面の表示および分割画面の選択を繰り返すステップと、を少なくとも含むことを特徴とする監視システムの画面検索方法。
【請求項１１】
前記スクリーン上に複数個の第３の分割画面を同時に再生し、それぞれの前記第３の分割画面は前記第２の分割画面中の異なる時間帯の監視画面を表示するステップと、
前記第３の分割画面中の少なくとも二つの画面間に実質上映像差異があるとき、後の時間帯との映像差異が最大である前記第３の分割画面を選択するステップと、
前記第３の分割画面間に実質上映像差異がないとき、一番後の前記第３の分割画面を選択するステップと、
をさらに含むことを特徴とする請求項１０記載の監視システムの画面検索方法。
【請求項１２】
画面を分割するとき、前記スクリーン上にはＮ×Ｎ個の分割画面が表示され、前記Ｎは正整数であることを特徴とする請求項１０記載の監視システムの画面検索方法。
【請求項１３】
それぞれの前記分割画面には時間情報が表示されることを特徴とする請求項１０記載の監視システムの画面検索方法。
【発明の詳細な説明】
【技術分野】
【０００１】
本発明は、監視システムの画面検索方法に関し、特に分割画面を利用した監視システムの画面検索方法に関する。
【背景技術】
【０００２】
人々の社会活動が日増しに頻繁になるに従い、生活における仕事環境および居住環境の安全に対する要求も徐々に高まってきている。特に都市部では、思いがけない犯罪や事故を防ぐための監視システムがよく設置されている。監視システムは、環境の状態を自動的に記録し、犯罪事件が発生したときに証拠を記録する装置であり、通常のときは犯罪の発生を防止する効果がある。
【０００３】
全時間を完全に記録しなければならないため、一般に監視システムの録画時間は非常に長い。そして、ユーザが長期間外出する場合、監視システムは、監視画面を数日から数ヶ月、さらには一年間記録する必要があった。そしてその期間、監視していた環境に車が無くなったり門や窓が壊されたりするなどの変化が発生した場合、ユーザは監視画面の記録データから事件が発生した時間点を探し出さなければならなかった。
【０００４】
しかしユーザの外出時間が長いほど、録画されるデータ量も多くなるため、録画されたデータを最初から最後まで見るには非常に長い時間がかかった。また、録画されたビデオデータをスキップ方式により見た場合、効率があまり良くなく、重要な画面変化を見逃す可能性もあった。
【０００５】
そのため、体系的かつスピーディに画面を検索して、事件が発生した時間点を探し出すことのできる監視システムの画面検索方法が強く求められていた。
【０００６】
なお、関連する先行技術を調査したが、現時点では発見できていない。
【発明の開示】
【発明が解決しようとする課題】
【０００７】
本発明の第１の目的は、映像の差異が最大である時間点をスピーディに探し出す監視システムの画面検索方法を提供することにある。
【０００８】
本発明の第２の目的は、選択のために異なる時間帯の監視画面を同時に示す監視システムの画面検索方法を提供することにある。
【０００９】
本発明の第３の目的は、選択のために映像をスピーディに分類する監視システムの画面検索方法を提供することにある。
【課題を解決するための手段】
【００１０】
上述の目的を達成するため、本発明の監視システムの画面検索方法は次のステップを含む。先ず、監視システムのビデオデータを複数の時間帯に分割する。続いて、スクリーン上で複数個の第１の分割画面を同時に再生し、それぞれの第１の分割画面はビデオデータ中の同じ場景で異なる時間帯の監視画面を表示する。そして、隣接する分割画面の映像差異が最大である第１の分割画面を選択する。
【００１１】
続いて、第１の分割画面のビデオデータを複数の時間帯に分割する。そして、スクリーン上で複数個の第２の分割画面を同時に再生し、それぞれの第２の分割画面はこの第１の分割画面中の異なる時間帯の監視画面を表示する。続いて、隣接する分割画面との映像差異が最大である第２の分割画面を選択する。そして、第２の分割画面の時間帯が所定時間よりも短いとき、この第２の分割画面を再生して映像差異が最大である時間点を探し出す。
【００１２】
第２の分割画面の時間帯が所定時間よりも長いときに、この第２の分割画面のビデオデータを複数の時間帯に分割し、次の分割画面を繰り返して利用することにより映像差異が最大である時間点を探し出す。
【発明の効果】
【００１３】
本実施形態は少なくとも次のような長所を有する。本発明の監視システムの画面検索方法は、時間帯が分割された分割画面を利用することにより、映像をスピーディに分類して選択し、映像差異が最大である時間点をスピーディに探し出すことができる。また、この方法は選択のために異なる時間帯の監視画面を同時に表示することもできる。
【発明を実施するための最良の形態】
【００１４】
一般に、一監視システムは録画を長時間行わなければならず、録画された後のビデオデータは、ハードディスクなどの一記録媒体中に記録される。そのため、監視システムのユーザは、監視している環境に異常を発見したときに、ビデオテープを調べて異常が発生した時間点を見つけ出さなければならなかった。
【００１５】
次に、ユーザの車を撮影している一監視システムを例に説明する。ユーザが約１年間家を留守にして外出から戻ってきたときに車が無くなっていることを発見した場合、ユーザはビデオデータを調べなければ車がいつ無くなったのか知ることができない。しかし、ユーザが留守にしていた時間は非常に長いため、録画されたデータ量も非常に多い。そのため、ビデオデータを最初から最後まで見た場合、非常に多くの時間がかかった。本発明は、このような問題を解決する優れた方法を提供する。
【００１６】
図１は、本発明の好適な実施形態による模式図である。図１に示すように、監視システムにはビデオデータが長時間記録されている。そして、このビデオデータは監視システムのスクリーン上にある複数個の分割画面を用い、例えば分割画面１０２により車１０８の監視録画画面を再生し、分割画面１０４により家の側面の監視画面を再生し、分割画面１０６により周辺環境の監視画面を再生するなど、それぞれ異なる監視場景を再生する。
【００１７】
ユーザが出かける前の分割画面１０２には車が映っており、ユーザが帰ってきた後の分割画面１０２には車１０８が映ってないことが監視システムから分かる。そして、分割画面１０２がユーザにより選択されると、監視システムは、この分割画面１０２を自動的に複数の時間帯に分割する。
【００１８】
図２は、本発明の好適な実施形態によるもう一つの模式図である。分割画面１０２がユーザにより選択されると、スクリーン１００上に複数個の第１の分割画面（２０２〜２２４）が再生され、それぞれの第１の分割画面には同じ場景（図１の分割画面１０２と同じ場景）で異なる時間帯の監視画面が表示される。
【００１９】
この監視システムにはビデオデータが一年分（１月から１２月まで記録され、図２の各分割画面の下側にある数字は何月であるかを表す）記録されている。そして、車１０８が無くなった時期をユーザが知りたい場合、スクリーン１００上には第１の分割画面が全部で１６個あるが、そのうちの１２個により記録映像が映し出され、それぞれの分割画面により一ヶ月分のビデオデータを表示する。例えば、第１の分割画面２０２は１月分のビデオデータを表示し、第１の分割画面２０４は２月分のビデオデータを表示し、これから類推できるように、第１の分割画面２２４は１２月分のビデオデータを表示する。そして、それぞれの第１の分割画面は、当該月の１日目から再生を開始する。
【００２０】
そして、ユーザは隣接する分割画面の映像との差異が最大である第１の分割画面を選択する。図２を例に説明すると、第１の分割画面２１２と第１の分割画面２１４との差異が最大であるため、第１の分割画面２１２がユーザにより選択される。７月分のビデオデータを表示する第１の分割画面２１４から分かるように、車１０８が第１の分割画面２１２（６月分）には映っているのに、第１の画面２１４（７月分）には映っていないことが分かる。
【００２１】
第１の分割画面２１２（６月分）から車１０８が消失した時間点を探すため、ユーザが第１の分割画面２１２を選択すると、図３に示すような画面に変わる。図３は、本発明の好適な実施形態によるもう一つの模式図である。図３は、監視システムが第１の分割画面２１２のビデオデータを複数の時間帯に分割したときの状態を示す模式図である。スクリーン上では複数個の第２の分割画面（３０２〜３７２）が同時に再生され、それぞれの第２の分割画面は第１の分割画面２１２の異なる時間帯の監視画面を表示する。図３に示すように、１ヶ月は約３０日あるため、スクリーン１００により全部で３６個（６×６）の第２の分割画面（３０２〜３７２）が表示され、それぞれの分割画面は一日分のビデオデータを再生し、それぞれの分割画面は一日の０時から再生を開始する。
【００２２】
図３に示すように、第２の分割画面３０２は６月１日のビデオデータを示し、第２の分割画面３０４は６月２日のビデオデータを示し、これから類推できるように、第２の分割画面３６０は６月３０日のビデオデータを示す。そして、分割画面に隣接する映像との差異が最大である第２の分割画面を選択する。図３に示すように、第２の分割画面３４４と隣接する第２の分割画面３４６とは映像差異が最大であるため、第２の分割画面３４４を選択する。車１０８は、第２の分割画面３４４（６月２２日）に映っているが、第２の分割画面３４６（６月２３日）には映っていない。そのため、第２の分割画面３４４の時間帯から車１０８が無くなった時間点を探すため、次に第２の分割画面３４４を選択する。
【００２３】
図４は、本発明の好適な実施形態を示すもう一つの模式図である。図４に示すように、監視システムは第２の分割画面３４４のビデオデータを複数の時間帯に分割する。そして、スクリーン上では複数個の第３の分割画面（４０２〜４５０）が同時に再生され、それぞれの第３の分割画面は、第２の分割画面３４４中の異なる時間帯の監視画面を表示する。図４に示すように、一日は２４時間あるため、スクリーン１００は全部で２５個（５×５）の第２の分割画面（４０２〜４５０）を表示する。そして、それぞれの分割画面は一時間分のビデオデータを再生し、それぞれの分割画面は１時間の１分目から再生を開始する。
【００２４】
図４に示すように、第３の分割画面４０２は１日の１時間目のビデオデータを表示し、第３の分割画面４０４は１日の２時間目のビデオデータを表示し、これから類推できるように、第３の分割画面４４８は１日の２４時間目のビデオデータを表示する。そして、分割画面に隣接する映像との差異が最大である第３の分割画面を選択する。図４に示すように、第３の分割画面４３６は、隣接する第３の分割画面４３８と映像差異が最大であるため、第３の分割画面４３６を選択する。車１０８は、１８時間目である第３の分割画面４３６には映っているが、１９時間目である第３の分割画面４３８には映っていないことが分かる。そのため、第３の分割画面４３６の時間帯から車１０８が無くなった時間点を探し出すため、次に第３の分割画面４３６を選択する。
【００２５】
図５は、本発明の好適な実施形態を示すもう一つの模式図である。図５に示すように、監視システムは第３の分割画面４３６のビデオデータを複数の時間帯に分割する。スクリーン上では複数個の第４の分割画面（５０２〜５０８）が同時に再生され、それぞれの第４の分割画面は第３の分割画面４３６中の異なる時間帯の監視画面を示す。図５に示すように、ここでは利便性を考慮して１時間を１５分毎に、全部で四つの時間帯に分けられている。
【００２６】
図５に示すように、第４の分割画面５０２は１時間中の０分〜１５分までのビデオデータを示し、第４の分割画面５０４は１時間中の１６分〜３０分のビデオデータを示し、これから類推できるように、第４の分割画面５０８は１時間中の４６分〜６０分のビデオデータを示す。車１０８は、第４の分割画面５０４（１６分〜３０分）中には映っているが、第４の分割画面５０６中には映っていない。そのため、第４の分割画面５０４中の時間帯から車１０８が無くなった時間点を探し出すため、次に第４の分割画面５０４を選択する。
【００２７】
ユーザは、分割画面の最小の時間帯を一単位１５分に設定することができる。第４の分割画面５０４がユーザにより選択されると、スクリーン１００は１５分間のビデオデータを直接再生する。そのため、ユーザは車が無くなった時間点を１５分以内に探し出すことができる。
【００２８】
上述した複数個の第１の分割画面の場合、それぞれの第１の分割画面により再生される時間帯の長さは設計者が指定することができる。そのため、その単位は必ず１ヶ月にしなくともよい。同様に、それぞれの第２の分割画面により再生される時間帯の長さは設計者が指定することができるため、その単位は必ず１日にしなくともよい。また、それぞれの第３の分割画面により再生される時間帯の長さは設計者が指定することができるため、その単位は必ず１時間にしなくともよい。
【００２９】
また、他の実施形態において、ユーザは分割画面の最小時間を一単位１分間に設定することもできる。そのため、ユーザは第４の分割画面５０４に対して時間帯の分割と画面の分割とを行い、最後にユーザは車が無くなった時間点を一分以内に探し出すことができる。この分割画面の最小時間帯はユーザが自ら設定することができる。
【００３０】
さらに他の実施形態では、ユーザは監視システムの分割画面の最小時間帯を制限せずに、フレーム（frame）が一単位となるまで分割画面の分割を繰り返すこともできる。フレームはビデオデータ中のそれぞれの完全な画面の最小単位である。さらに他の実施形態においては、ユーザの参考に便利なように、それぞれの分割画面に時間情報を選択的に表示することもできる。さらに他の実施形態において、それぞれの分割画面は再生と停止の選択を提供する。上述の方法は、ソフトウェアを利用して監視システム上で実行することができる。
【００３１】
図６は、本発明の好適な実施形態を示すもう一つの模式図である。スクリーン上で表示されている複数個の分割画面間の映像差異が実質上見つからないときは、一番後の第１の分割画面６１８を選択する。
【００３２】
図２から図５では、例えば図２中の第１の分割画面２１２、図３中の第２の分割画面３４４、図４中の第３の分割画面４３６および図５中の第４の分割画面５０４などのように、ユーザは後の時間帯との映像差異が最大である分割画面を探し出すことができる。
【００３３】
しかし、次のような情況が発生する可能性がある。例えば、図６に示すように、車１０８が一番後の分割画面６１８の時間帯で無くなったため、スクリーン上の全ての分割画面に映像差異が実質上無い場合、分割画面６１８をさらに再生したり継続して時間帯を分割したりしなければ実質的な映像差異を見つけ出すことができない。ここで、いわゆる実質上の映像差異とは、ユーザが探している目標物（例えば車）が別の分割画面中で位置が移動したり無くなったりする情況を指す。
【００３４】
従って、図６のような情況では、全ての分割画面の間には実質的な映像差異が無いため（すなわち車１０８が無くなっていない）、ユーザは最後の一つである分割画面６１８を選択して、分割画面６１８に対して時間帯の分割や再生といった処理をさらに行わなければならない。
【００３５】
図６に示されたような情況は、図２〜図６のどのスクリーン上でも発生する可能性がある。そして、このような情況が発生した場合、ユーザは最後の一つである分割画面を直接選択して次のステップへ進む。
【００３６】
本実施形態は少なくとも次のような長所を有する。本実施形態の監視システムの画面検索方法は、時間帯が分割された分割画面を利用することにより、映像をスピーディに分類して選択し、映像差異が最大である時間点をスピーディに探し出すことができる。また、この方法は、選択を提供するため異なる時間帯の監視画面を同時に表示することができる。そのため、ユーザはビデオデータを長時間見る必要がなく、映像に異常がある時間点を探し出す時間を大幅に減らすことができる。
【００３７】
本発明では好適な実施形態を前述の通り開示したが、これらは決して本発明を限定するものではなく、当該技術を熟知するものなら誰でも、本発明の主旨と領域を脱しない範囲内で各種の変更や修正を加えることができる。従って本発明の保護の範囲は、特許請求の範囲で指定した内容を基準とする。
【図面の簡単な説明】
【００３８】
【図１】本発明の好適な一実施形態を示す模式図である。
【図２】本発明の好適な一実施形態を示すもう一つの模式図である。
【図３】本発明の好適な一実施形態を示すもう一つの模式図である。
【図４】本発明の好適な一実施形態を示すもう一つの模式図である。
【図５】本発明の好適な一実施形態を示すもう一つの模式図である。
【図６】本発明の好適な一実施形態を示すもう一つの模式図である。
【符号の説明】
【００３９】
１００    スクリーン
１０８    車
１０２、１０４、１０６、２０２、２０４、２０６、２０８、２１０、２１２、２１４、２１６、２１８、２２０、２２２、２２４、２２８、２３０、２３２、２３４、３０２、３０４、３０６、３０８、３１０、３１２、３１４、３１６、３１８、３２０、３２２、３２４、３２６、３２８、３３０、３３２、３３４、３３６、３３８、３４０、３４２、３４４、３４６、３４８、３５０、３５２、３５４、３５６、３５８、３６０、３６２、３６４、３６６、３６８、３７０、３７２、４０２、４０４、４０６、４０８、４１０、４１２、４１４、４１６、４１８、４２０、４２２、４２４、４２６、４２８、４３０、４３２、４３４、４３６、４３８、４４０、４４２、４４４、４４６、４４８、４５０、５０２、５０４、５０６、５０８、６０２、６０４、６０６、６０８、６１０、６１２、６１４、６１６、６１８    分割画面
【図１】
2006033831.tif 000003
【図２】
2006033831.tif 000004
【図３】
2006033831.tif 000005
【図４】
2006033831.tif 000006
【図５】
2006033831.tif 000007
【図６】
2006033831.tif 000008